(57)【要約】【課題】クリック率の推定精度を向上させること。【解決手段】実績に基づいて算出される広告の実績クリック率に対して、広告配信面における前記広告の表示位置のバイアス、前記広告を閲覧するユーザの属性と前記広告との組み合わせのバイアス、前記広告のバイアス、および前記広告配信面と前記広告との組み合わせのバイアスのうち少なくとも１つを掛け合わせることで、前記広告のクリック率を推定する推定部を備える、情報処理装置。【選択図】図２
2019040386.tif 000002
【特許請求の範囲】
【請求項１】
実績に基づいて算出される広告の実績クリック率に対して、広告配信面における前記広告の表示位置のバイアス、前記広告を閲覧するユーザの属性と前記広告との組み合わせのバイアス、前記広告のバイアス、および前記広告配信面と前記広告との組み合わせのバイアスのうち少なくとも１つを掛け合わせることで、前記広告のクリック率を推定する推定部を備える、情報処理装置。
【請求項２】
前記推定部によって推定されたクリック率に基づいて、配信対象とする広告を決定する決定部をさらに備える、
請求項１に記載の情報処理装置。
【請求項３】
前記推定部は、前記実績クリック率に対して、前記広告を閲覧するユーザの属性と前記広告との組み合わせのバイアスを掛け合わせることで、前記広告のクリック率を推定する、
請求項１または２に記載の情報処理装置。
【請求項４】
前記推定部は、前記実績クリック率に対して、前記広告配信面における前記広告の表示位置のバイアスを掛け合わせることで、前記広告のクリック率を推定する、
請求項１または２に記載の情報処理装置。
【請求項５】
前記推定部は、前記実績クリック率に対して、前記広告を閲覧するユーザの属性と前記広告との組み合わせのバイアスと、前記広告配信面における前記広告の表示位置のバイアスを掛け合わせることで、前記広告のクリック率を推定する、
請求項１または２に記載の情報処理装置。
【請求項６】
前記ユーザの属性は、前記広告の配信後の経過期間に応じて前記ユーザを分類した区分である、
請求項１から５のうちいずれか一項に記載の情報処理装置。
【請求項７】
前記ユーザの属性は、前記ユーザの性別または年代である、
請求項１から５のうちいずれか一項に記載の情報処理装置。
【請求項８】
実績に基づいて算出される広告の実績クリック率に対して、広告配信面における前記広告の表示位置のバイアス、前記広告を閲覧するユーザの属性と前記広告との組み合わせのバイアス、前記広告のバイアス、および前記広告配信面と前記広告との組み合わせのバイアスのうち少なくとも１つを掛け合わせることで、前記広告のクリック率を推定する、
情報処理方法。
【請求項９】
コンピュータに、
実績に基づいて算出される広告の実績クリック率に対して、広告配信面における前記広告の表示位置のバイアス、前記広告を閲覧するユーザの属性と前記広告との組み合わせのバイアス、前記広告のバイアス、および前記広告配信面と前記広告との組み合わせのバイアスのうち少なくとも１つを掛け合わせることで、前記広告のクリック率を推定させる、
プログラム。
【発明の詳細な説明】
【技術分野】
【０００１】
本発明は、情報処理装置、情報処理方法、およびプログラムに関する。
【背景技術】
【０００２】
近年、ユーザがインターネットを介してウェブページにアクセスした際に、そのウェブページに広告を掲載し、広告がクリックまたはタップされたときに広告主のウェブページにユーザを誘導する広告配信の仕組みが採用されている。この広告配信においては、広告効果を高めるために、収益性の高い広告を優先して表示したり、ウェブページ内における広告の表示位置を工夫する等の手法が提案されている（例えば、特許文献１参照）。
【０００３】
広告を掲載した際に期待される収益（以下、「期待収益」と言う）は、例えば、広告の入札額に、クリック率（ＣＴＲ：Click Through Rate）の予測値（推定値）を乗じることによって算出される。このため、期待収益を正確に算出するために、精度の高いクリック率の推定手法が求められている。
【先行技術文献】
【特許文献】
【０００４】
【特許文献１】特開２０１４−１４６３４６号公報
【発明の概要】
【発明が解決しようとする課題】
【０００５】
広告のクリック率は、広告を閲覧するユーザの属性、ウェブページ内における広告の表示位置等に応じて変化することが想定されるが、従来の手法ではこれらが考慮されていなかった。また、仮に、ユーザの属性ごと、広告の表示位置ごと、或いはこれらの組み合わせごとにクリック率の推定値を算出しようとした場合、その計算量が膨大となり、制御サーバのキャッシュ容量が不足してしまう等の問題が懸念されていた。また、配信実績が十分に蓄積されていない広告についてはクリック率を推定することが容易ではなく、配信実績に基づかない標準のクリック率を使用せざるを得ない場合があった。
【０００６】
本発明は、このような事情を考慮してなされたものであり、クリック率の推定精度を向上させることが可能な情報処理装置、情報処理方法、およびプログラムを提供することを目的の一つとする。
【課題を解決するための手段】
【０００７】
本発明の一態様は、実績に基づいて算出される広告の実績クリック率に対して、広告配信面における前記広告の表示位置のバイアス、前記広告を閲覧するユーザの属性と前記広告との組み合わせのバイアス、前記広告のバイアス、および前記広告配信面と前記広告との組み合わせのバイアスのうち少なくとも１つを掛け合わせることで、前記広告のクリック率を推定する推定部を備える、情報処理装置である。
【発明の効果】
【０００８】
本発明の一態様によれば、クリック率の推定精度を向上させることが可能である。
【図面の簡単な説明】
【０００９】
【図１】実施形態に係る広告配信サーバの使用環境の一例を示す図である。
【図２】実施形態に係る広告配信サーバの機能構成を示す機能ブロック図である。
【図３】広告の表示位置のバイアスの一例を説明する図である。
【図４】ユーザ属性と広告との組み合わせのバイアスの一例を説明する図である。
【図５】実施形態に係る広告関連情報の一例を示す図である。
【図６】実施形態に係る広告関連情報の一例を示す図である。
【図７】実施形態に係る広告関連情報の一例を示す図である。
【図８】実施形態に係る広告関連情報の一例を示す図である。
【図９】実施形態に係る広告関連情報の一例を示す図である。
【図１０】実施形態に係る広告配信サーバを含むシステムの動作を示すシーケンス図である。
【発明を実施するための形態】
【００１０】
以下、図面を参照して、本発明の情報処理装置、情報処理方法、およびプログラムの実施形態について説明する。
【００１１】
［概要］
実施形態の広告配信サーバ（情報処理装置）は、広告の配信要求に応じて、配信の候補となる広告のクリック率を推定し、推定したクリック率に基づいて期待収益が高い広告を配信対象として決定し、決定した広告の情報を配信要求元に送信する。広告配信サーバは、クリック率の推定に際しては、広告を閲覧するユーザの属性、広告配信面における広告の表示位置等のクリック率に影響を及ぼすバイアスを考慮する。これにより、クリック率の推定精度を向上させることが可能である。
【００１２】
［全体構成］
図１は、広告配信サーバ３０の使用環境の一例を示す図である。広告配信サーバ３０は、ネットワークＮＷに接続される。ネットワークＮＷには、広告配信サーバ３０の他、例えば、少なくとも１つの端末装置１０と、少なくとも１つのサービス提供装置２０とが接続される。ネットワークＮＷは、例えば、インターネット、ＷＡＮ（Wide Area Network）やＬＡＮ（Local Area Network）、プロバイダ装置、無線基地局、専用回線などのうち一部または全部を含む。
【００１３】
端末装置１０は、サービス提供装置２０によって提供されるコンテンツを利用するユーザによって操作される。端末装置１０は、例えば、パーソナルコンピュータ、スマートフォン等の携帯電話やタブレット端末、ＰＤＡ（Personal Digital Assistant）等のコンピュータ装置である。サービス提供装置２０によって提供されるコンテンツには、例えば、ブラウザによって参照されるウェブページの他、アプリケーションプログラムによって参照されるアプリページが含まれる。これらのウェブページおよびアプリページは、検索サイト、ニュースサイト、ショッピングサイト、オークションサイト、天気予報サイト、ＳＮＳ（Social Networking Service）サイト、ゲームサイト等を構成するページである。
【００１４】
端末装置１０は、ユーザから所定の操作を受け付けると、予めインストールされたブラウザによって、サービス提供装置２０によって提供されるウェブページを表示する。ウェブページには、広告が含まれている。また、端末装置１０は、ユーザから所定の操作を受け付けると、予めインストールされたアプリケーションを介してサービス提供装置２０と通信を行い、アプリケーション上で表示或いは再生するコンテンツを取得する。コンテンツは、例えば、動画データや、画像データ、音声データ、テキストデータ等であり、広告が含まれている。
【００１５】
サービス提供装置２０は、インターネット上において、上述した検索サイトやショッピングサイト等のウェブページを提供するウェブサーバ装置であってよいし、アプリケーションが起動された端末装置１０と通信を行って、各種情報の受け渡しを行うアプリケーションサーバ装置であってもよい。
【００１６】
サービス提供装置２０は、ウェブページを生成する際、広告配信サーバ３０により配信される広告を示す情報（例えば、広告のＵＲＬ（Uniform Resource Locator））を受信する。そして、サービス提供装置２０は、ウェブページの一部の領域（広告配信枠）に、少なくとも１つの広告のＵＲＬを含むウェブページを端末装置１０に送信する。端末装置１０は、広告のＵＲＬに基づいて、広告に対応するコンテンツ（画像、音声、その他）のリクエストを広告配信サーバ３０に送信することで、広告に対応するコンテンツを取得する。そして、端末装置１０は、ウェブページに基づく画像の一部に取得した広告の画像を埋め込んで表示する。
【００１７】
本実施形態においては、広告を埋め込むことができるウェブページ等の電子的な面を「広告配信面」という。なお、サービス提供装置２０は、ウェブページの広告配信枠に、画像やテキストを含む少なくとも１つの広告を埋め込んだウェブページを生成して端末装置１０に送信してもよい。なお、アプリケーションによってコンテンツが再生される場合も、同様の処理が行われる。
【００１８】
広告配信サーバ３０は、サービス提供装置２０から受信した広告の配信要求に応じて、配信の候補となる広告のクリック率を推定し、推定したクリック率に基づいて期待収益が高い広告を配信対象として決定し、決定した広告の情報をサービス提供装置２０に送信する。広告配信サーバ３０は、広告を閲覧するユーザの属性、広告配信面における広告の表示位置等のクリック率に影響を及ぼすバイアスを考慮して、クリック率を推定する。広告配信サーバ３０のクリック率の推定方法については後述する。また、広告配信サーバ３０は、端末装置１０からの広告に対応するコンテンツのリクエストを受信し、対応するコンテンツを端末装置１０に送信する。
【００１９】
［広告配信サーバの構成］
以下、広告配信サーバ３０の構成について説明する。図２は、広告配信サーバ３０の機能構成を示す機能ブロック図である。広告配信サーバ３０は、例えば、通信部３１と、クリック率推定部３３（推定部）と、広告決定部３５（決定部）と、記憶部３７とを備える。
【００２０】
通信部３１は、例えば、ＮＩＣ等の通信インターフェースを含む。通信部３１は、ネットワークＮＷを介して、端末装置１０、サービス提供装置２０等と通信する。
【００２１】
クリック率推定部３３は、実績に基づくクリック率（以下、「実績クリック率」という）に、広告配信面における広告の表示位置のバイアス、広告を閲覧するユーザの属性と広告との組み合わせのバイアス、広告のバイアス、および広告配信面と広告との組み合わせのバイアスのうち、少なくとも１つを掛け合わせることで、広告のクリック率を推定する。
【００２２】
実績クリック率とは、各広告配信面において各広告を配信した際のクリック率の実績値である。例えば、実績クリック率は、各広告配信面における各広告のクリック数の実績値を、各広告の（各広告配信面の）インプレッション数の実績値で除することにより算出される。
【００２３】
広告配信面における広告の表示位置のバイアスとは、広告配信面内において広告が表示される位置に応じたクリック率の偏りを示す。図３は、広告の表示位置のバイアスの一例を説明する図である。クリック率は、同一の広告を表示した場合であっても、広告の表示位置によってクリック率が増減し、広告配信面全体で均一ではない場合がある。例えば、図３に示すように、広告配信面の全体のクリック率の実績値が０．０３［％］であっても、この広告配信面を構成する複数のサービス毎に区分された配信面（配信面１から４）ごとのクリック率には偏りが生じる場合がある。また、この配信面に含まれる広告が表示される位置（広告配信枠）ごとのクリック率には偏りが生じる場合がある。クリック率推定部３３は、このような広告の表示位置のバイアスを考慮して、広告のクリック率を推定する。
【００２４】
広告を閲覧するユーザの属性と広告との組み合わせのバイアスとは、ユーザの属性と広告との組み合わせに応じたクリック率の偏りを示す。図４は、ユーザ属性と広告との組み合わせのバイアスの一例を説明する図である。図４は、同一の広告を同一の広告配信面に配信した際の、ユーザのリーセンシ毎にクリック率を集計したものである。リーセンシとは、ある広告をユーザに配信してからの間隔（経過時間）を示す。すなわち、この場合、広告を閲覧するユーザの属性は、広告の配信後の経過期間に応じてユーザを分類した区分である。
【００２５】
図４に示す例では、ある広告の配信後の経過時間が１日未満であるユーザに対して同一の広告を配信した場合のクリック率は０．３８［％］であり、ある広告の配信後の経過時間が１日以上３日未満であるユーザに対して同一の広告を配信した場合のクリック率は０．２８［％］であり、ある広告の配信後の経過時間が３日以上７日未満であるユーザに対して同一の広告を配信した場合のクリック率は０．２１［％］である。このように、一般的に、広告の配信後に時間が経過するにつれて、同一の広告に対するクリック率は低下する傾向にある。クリック率推定部３３は、このようなユーザの属性と広告とのバイアスを考慮して、広告のクリック率を推定する。
【００２６】
尚、ユーザの属性には、「男性」および「女性」の性別や、年代等が含まれる。クリック率推定部３３は、例えば、ある広告は「男性」に配信した場合にはクリック率が高いが、「女性」に配信した場合にはクリック率が低いといったユーザの属性と広告とのバイアスを考慮して、広告のクリック率を推定する。
【００２７】
広告のバイアスとは、広告に応じたクリック率の偏りを示す。また、広告配信面と広告との組み合わせのバイアスとは、広告配信面と広告との組み合わせに応じたクリック率の偏りを示す。
【００２８】
クリック率推定部３３は、例えば、以下の式（１）から（５）に基づいて、クリック率を推定する。
【００２９】
【数１】
2019040386.tif 000003
【００３０】
【数２】
2019040386.tif 000004
【００３１】
【数３】
2019040386.tif 000005
【００３２】
【数４】
2019040386.tif 000006
【００３３】
【数５】
2019040386.tif 000007
【００３４】
上記の式（１）において、クリック率（広告配信面，広告配信枠）とは、広告の配信要求において指定された広告配信面と広告配信枠との組み合わせにおけるクリック率の実績値を示す。このクリック率（広告配信面，広告配信枠）の項では、広告配信面における広告の表示位置（広告配信枠）のバイアスが考慮される。クリック率（広告配信面，広告配信枠）は、例えば、上記の式（２）によって算出される。すなわち、クリック率（広告配信面，広告配信枠）は、広告配信面と広告配信枠との組み合わせにおけるクリック数をインプレッション数で除することにより得られる。
【００３５】
上記の式（１）において、バイアス（広告）とは、広告のバイアスを示す。バイアス（広告）は、例えば、上記の式（３）により算出される。上記の式（１）において、バイアス（広告配信面，広告）とは、広告の配信要求において指定された広告配信面と、広告との組み合わせのバイアスを示す。バイアス（広告配信面，広告）は、例えば、上記の式（４）により算出される。上記の式（１）において、バイアス（ユーザ属性，広告）とは、広告の配信要求において指定されたユーザ属性と、広告との組み合わせのバイアスを示す。バイアス（ユーザ属性，広告）は、例えば、上記の式（５）により算出される。
【００３６】
なお、クリック率推定部３３は、上記の式（１）に対して、さらに、ユーザ属性単体のバイアスや、ユーザ属性と広告配信面との組み合わせのバイアス等を掛け合わせることで、クリック率を推定してもよい。
【００３７】
広告決定部３５は、クリック率推定部３３によって推定されたクリック率（以下、「推定クリック率」という）と、入札額とに基づいて、配信対象とする広告を決定する。入札額とは、例えば、広告に対する１クリック当たりの単価であって、広告主によって決定される。広告決定部３５は、例えば、以下の式（６）に基づいて、配信の候補となる広告の各々の期待収益を算出し、最も期待収益の高い広告を配信対象として決定する。広告決定部３５は、決定した広告のＵＲＬ等をサービス提供装置２０に送信する。
【００３８】
期待収益＝入札額×推定クリック率・・・式（６）
【００３９】
記憶部３７は、配信可能な広告の候補に関する情報（以下、「広告関連情報３７Ａから３７Ｅ」という）を記憶する。広告関連情報３７Ａは、例えば、図５に示すような、広告を識別する広告ＩＤと、広告のＵＲＬと、広告コンテンツと、入札額とを含む。
【００４０】
広告関連情報３７Ｂは、図６に示すような、広告配信面（ページ）内における広告配信枠ごとの、「インプレッション数」、「クリック数」、および「クリック率」の集計データを含む。ページＩＤは、広告配信面を識別し、枠ＩＤは、広告配信枠を識別する。また、広告関連情報３７Ｃは、図７に示すような、広告ＩＤごとの、「インプレッション数」、「クリック数」、および「クリック率」の集計データを含む。また、広告関連情報３７Ｄは、図８に示すような、ページＩＤと広告ＩＤとの組み合わせごとの、「インプレッション数」、「クリック数」、および「クリック率」の集計データを含む。また、広告関連情報３７Ｆは、図９に示すような、ユーザ属性と広告ＩＤとの組み合わせごとの、「インプレッション数」、「クリック数」、および「クリック率」の集計データを含む。
【００４１】
なお、広告関連情報３７Ｂから３７Ｅに含まれる「クリック率」は、所定の時間ごと、日ごと等の所定の周期で実行されるバッチ処理により集計されるものであってよい。
【００４２】
広告配信サーバ３０の構成要素は、例えば、ＣＰＵ（Central Processing Unit）等のハードウェアプロセッサがプログラム（ソフトウェア）を実行することにより実現される。また、これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）等のハードウェア（回路部；circuitryを含む）によって実現されてもよいし、ソフトウェアとハードウェアの協働によって実現されてもよい。
【００４３】
広告配信サーバ３０の記憶部３７は、例えば、ＲＡＭ（Random Access Memory）、ＲＯＭ（Read Only Memory）、ＨＤＤ（Hard Disk Drive）、フラッシュメモリ、またはこれらのうち複数が組み合わされたハイブリッド型記憶装置等により実現される。また、記憶部３７の一部または全部は、ＮＡＳや外部のストレージサーバ等、広告配信サーバ３０がアクセス可能な外部装置であってもよい。
【００４４】
［全体動作］
以下、広告配信サーバ３０を含むシステムの全体動作について説明する。以下の説明では、サービス提供装置２０が、ウェブページを提供する例を説明する。図１０は、広告配信サーバ３０を含むシステムの全体動作を示すシーケンス図である。ここでは、サービス提供装置２０には、端末装置１０のユーザの属性を示す「ユーザ属性」が予め記憶されているものとする。「ユーザ属性」は、ウェブページの初期設定時等にユーザから取得される。「ユーザ属性」は、例えば、「男性」、「女性」などの性別を示す情報である。まず、端末装置１０は、ユーザの操作に基づいて、ウェブページを要求するリクエストをサービス提供装置２０に送信する（Ｓ１０１）。
【００４５】
次に、サービス提供装置２０は、広告の配信要求を広告配信サーバ３０に送信する（Ｓ１０３）。この配信要求には、例えば、端末装置１０を利用するユーザの属性を示す「ユーザ属性」、広告配信面であるウェブページを識別する「ページＩＤ」、このウェブページ内において広告を表示する広告配信枠を識別する「枠ＩＤ」を示す情報等が含まれる。
【００４６】
次に、広告配信サーバ３０は、記憶部３７に記憶された広告関連情報３７Ａから３７Ｅを参照し、受信した配信要求に応じて、配信の候補となる広告の各々クリック率を推定する（Ｓ１０５）。広告配信サーバ３０は、例えば、上記の式（１）から（５）に基づいて、クリック率を推定する。
【００４７】
次に、広告配信サーバ３０は、配信の候補となる広告の各々に関して、上記の式（６）に基づいて、期待収益を算出する（Ｓ１０７）。すなわち、広告配信サーバ３０は、配信の候補となる広告の各々に関して、推定した「クリック率」と、広告関連情報３７Ａに含まれる「入札額」とを掛けることで、期待収益を算出する。
【００４８】
次に、広告配信サーバ３０は、算出した期待収益に基づいて、配信対象とする広告を決定する（Ｓ１０９）。広告配信サーバ３０は、例えば、最も期待収益の高い広告を配信対象として決定する。なお、広告配信サーバ３０は、複数の広告を要求する配信要求を受信した場合には、期待収益の高い順に、要求された数の広告を、配信対象とする広告として決定してよい。
【００４９】
次に、広告配信サーバ３０は、広告関連情報３７Ａを参照し、配信対象として決定した広告のＵＲＬをサービス提供装置２０に送信する（Ｓ１１１）。
【００５０】
次に、サービス提供装置２０は、広告配信枠に広告配信サーバ３０から受信した広告のＵＲＬを含むウェブページを生成し（Ｓ１１３）、生成したウェブページを端末装置１０に送信する（Ｓ１１５）。次に、端末装置１０は、受信したウェブページに含まれる広告のＵＲＬを用いて、広告に対応するコンテンツを要求するリクエストを広告配信サーバ３０に送信する（Ｓ１１７）。
【００５１】
次に、広告配信サーバ３０は、受信したリクエストに対応する広告に関して、記憶部３７に記憶された広告関連情報３７Ｂから３７Ｅに含まれるインプレッション数の更新を行い（Ｓ１１９）、対応する広告コンテンツを端末装置１０に送信する（Ｓ１２１）。なお、広告配信サーバ３０は、端末装置１０からリクエストを受信する度にインプレッション数を更新してもよいし、一定の時間間隔で複数のリクエストをまとめて処理し、インプレッション数を更新してもよい。次に、端末装置１０は、ウェブブラウザの機能により、広告コンテンツが埋め込まれたウェブページを表示する（Ｓ１２３）。
【００５２】
その後、ユーザが端末装置１０を操作してウェブページに表示された広告コンテンツをクリックまたはタップすると、端末装置１０は、広告に対応するウェブページのリクエストを、このウェブページを提供する広告主サーバ（図示しない）に送信するとともに、クリックが発生したことを通知するクリック通知を広告配信サーバ３０に送信する（Ｓ１２５）。クリック通知を受信した広告配信サーバ３０は、記憶部３７に記憶された広告関連情報３７Ｂから３７Ｅに含まれるクリック数を更新する（Ｓ１２７）。なお、広告配信サーバ３０は、端末装置１０からクリック通知を受信する度にクリック数を更新してもよいし、一定の時間間隔で複数のクリック通知をまとめて処理し、クリック数を更新してもよい。端末装置１０は、広告主サーバから広告に対応するウェブページを受信し、ウェブブラウザの機能により、受信したウェブページを表示する。以上により、本シーケンス図の処理が終了する。
【００５３】
以上において説明した実施形態によれば、実績に基づいて算出される広告の実績クリック率に対して、広告配信面における前記広告の表示位置のバイアス、前記広告を閲覧するユーザの属性と前記広告との組み合わせのバイアス、前記広告のバイアス、および前記広告配信面と前記広告との組み合わせのバイアスのうち少なくとも１つを掛け合わせることで、前記広告のクリック率を推定する推定部を備えることで、クリック率の推定精度を向上させることができる。また、バイアスを掛け合わせることによりクリック率を算出するため、計算が簡単であり、制御サーバのキャッシュ容量が不足してしまうといった問題も生じない。また、配信実績が十分に蓄積されていない広告についても正確なクリック率を推定することが可能である。また、新たな観点に基づくバイアスが見つかった場合には、クリック率の算出式にこの新たなバイアスを掛け合わせることで算出式を更新することが可能であり、拡張性の高い手法を実現することが可能である。
【００５４】
以上、本発明を実施するための形態について実施形態を用いて説明したが、本発明はこうした実施形態に何ら限定されるものではなく、本発明の要旨を逸脱しない範囲内において種々の変形及び置換を加えることができる。
【符号の説明】
【００５５】
１０…端末装置
２０…サービス提供装置
３０…広告配信サーバ
３１…通信部
３３…クリック率推定部
３５…広告決定部
３７…記憶部
【図１】
2019040386.tif 000008
【図２】
2019040386.tif 000009
【図３】
2019040386.tif 000010
【図４】
2019040386.tif 000011
【図５】
2019040386.tif 000012
【図６】
2019040386.tif 000013
【図７】
2019040386.tif 000014
【図８】
2019040386.tif 000015
【図９】
2019040386.tif 000016
【図１０】
2019040386.tif 000017